(57)【要約】【課題】ネイルアートに係るゲームソフト・プログラム及び携帯サイトを利用したネイルアート・デザインの提供管理方法を提供する。【解決手段】携帯サイトサーバ２及びサービス提供サーバ３から構成されるものであり、上記携帯サイトサーバ２が、ネイルアートに係るゲームソフトの紹介及び当該ゲームソフトのダウンロードの可否表示に係るウェブページを管理するウェブデータ管理部と、ＣＰＵと、メモリ、入力部、表示部、ネットワーク通信インターフェースから構成され、サービス提供サーバ３が、ダウンロードサイトのウェブページを管理するウェブデータ管理部と、ＣＰＵと、メモリ、表示部、ネットワーク通信インターフェース、記録部、会員情報管理部、課金制御部から成る。【選択図】図１
2008130054.tif 000002
【特許請求の範囲】
【請求項１】
携帯電話において起動されるゲームソフト・プログラムであり、当該ゲームソフト・プログラムの起動によって携帯電話に表示されるタイトル画像上の新規作成又はアルバムの選択表示に従い、新規作成が選択された際には、次に製作画面にベースとなるネイルチップ画像が表示される一方、ネイルチップ画像に加工・修正を行う複数のアートツールに関するツール表示が付帯していると共に、作成画像に名前を付して複数のネイルアート画像を携帯電話のメモリに保存する保存表示が成されている一方、上記タイトル画像上のアルバムが選択された際には、アルバムモードの作品名一覧画面が表示され、次に各作品名が選択されると携帯電話のメモリから当該作品名の付されたネイルアート画像を表示実行させるためのゲームソフト・プログラムであることを特徴とする、ネイルアートに係るゲームソフト・プログラム。
【請求項２】
携帯電話の携帯サイトからアクセスした利用者に対してネイルアートに係るゲームソフトを提供すると共にその課金を管理する提供管理方法であって、携帯サイトサーバ及びサービス提供サーバから構成されるものであり、上記携帯サイトサーバが、本発明に係るネイルアートに係るゲームソフトの紹介及び当該ゲームソフトのダウンロードの可否表示に係るウェブページを利用者の携帯電話に表示するためのデータを管理するウェブデータ管理部、当該携帯サイトサーバ全体の制御を行うＣＰＵと、当該ＣＰＵの動作プログラム等のソフトフェア等の記録領域及び作業領域からなるメモリ、携帯サイトサーバの管理者が各種の指示を当該携帯サイトサーバに行うための入力部、各種表示を行うＬＣＤ等から成る表示部、インターネットと接続されたネットワーク通信インターフェースから構成され、サービス提供サーバが、ダウンロードサイトのウェブページを表示するためのデータを管理するウェブデータ管理部、サービス提供サーバ全体の制御を行うＣＰＵと、当該ＣＰＵの動作プログラム等のソフトフェア等の記録領域及び作業領域からなるメモリ、各種の指示を行うＬＣＤ等から成る表示部、インターネットと接続されたネットワーク通信インターフェース、ネイルアートに係るゲームソフトのプログラムデータを含む各種データを記録する記録部、ダウンロードサイトのウェブページ上の会員登録画面に基き送信された利用者の住所、氏名、電話番号等の入力情報を管理する会員情報管理部、上記各種データをダウンロードした利用者についての課金をキァリア会社に送信するための課金情報を生成する課金制御部から成るものであることを特徴とする、携帯サイトを利用したネイルアート・デザインの提供管理方法。
【発明の詳細な説明】
【技術分野】
【０００１】
本発明は、ネイルアートに係るゲームソフト・プログラム及び、携帯電話の携帯サイトからアクセスした利用者に対してネイルアートに係るゲームソフトを提供し、その提供を受けた利用者が当該ゲームソフトを使用して選択したデザインパーツを組み合わせて所望のネイルアート・デザインを構築できるようにした、携帯サイトを利用したネイルアート・デザインの提供管理方法に関する。
【背景技術】
【０００２】
近年、女性のファッション志向の高揚に伴い、手や足の爪にデザインを施すネイルアートが注目を集めている。ここで、爪にネイルアートとして好みのデザインを施すには、専用の絵の具などを用いて自由に色、図形、文字等を描くことを基本とするものであるが、既に専門の技術スタッフが利用者の好みにあわせて体裁よくデザインを施すネイルサロンも一般的に普及するに至っている。
【０００３】
更に、上記ネイルアートにおけるデザイン的要素について触れると、先ず爪全体のベース色を着色する「カラー」、更に当該「カラー」の上にベース色とは異なる色によってグラデーションを施す「エアブラシ」、続いて立体的なオブジェクトを形成する「３Ｄ」、各種にカットした稀石の造形を形成する「ストーン」、多様な角度から光を放ちスパンコールを粉にしたような造形を形成する「ホログラム」等に区分することができ、実際のネイルアートにおいては、「カラー」、「エアブラシ」を行った上に、「ホログラム」と「３Ｄ」を組合わせるパターン、「カラー」、「エアブラシ」を行った上に、「３Ｄ」と「ストーン」を組合わせるパターン等、幾通りかのパターンが選択されるものである。
【０００４】
一方、ネイルアートを施すための装置に関する発明が特開２００１−３１４２２６として開示されている。この発明は、基台上に被施術者の指先を固定するステップと、前記指先の爪の上にステンシルを略密着するように載置するステップと、前記ステンシルの上にインクを噴射するステップを含み、前記爪の表面に前記インクによる模様を描出したものであった。
【特許文献１】特開２００１−３１４２２６
【発明の開示】
【発明が解決しようとする課題】
【０００５】
上記背景技術の項に記載の特開２００１−３１４２２６「ネイルアート施術方法及びその装置」に係る装置によれば、機械的に被施術者の爪の上にネイルアートを施すことができるものではあるが、その装置には吹付けインクを蓄積する貯蔵タンクや、インクを噴射するための作動部等を備えるため比較的大型の機械装置となり、気軽にネイルアートを楽しむという雰囲気には程遠いものであったし、クォリティーの高いネイルアートを施術するには至っていなかった。また、女性的なファッション志向に基づくネイルアートは、各個人が長時間を要し種々のネイル用具を駆使しながらオリジナルのネイルアート・デザインを創出することに魅力があると言われている。即ち、ネイルアートはエステや美顔等にも通じ、物理的に爪の上に各種の模様が印刷されれば被施術者の満足が得られるというものではない。他方、ネイルサロンについても、ネイリストとの会話や専門的知識を有する技術者からのサービスが受けられるということに価値や魅力があると言われている。
【０００６】
一方、女子大生のように自由にファッションが楽しめる一部の女性層は別として、女性の社会進出が当たり前となった今日ではあるが、女性の働く職場では未だ華美な衣装の着用や濃すぎる化粧がタブー視される雰囲気が残っており、ネイルアートを施しての勤務については抵抗感があり、その楽しみは思いっきりお洒落ができる休日等に限定されているというのが現状のようだ。更に、ネイルサロンにおいてネイルアートを施術して貰う際にも、どの様なオリジナルのデザインにしたら良いかが決まらず、結局はネイリストのお勧めのパターンであったり、雑誌に載録されている人気パターンとなってしまう場合が多く、施術後に別のパターンにすれば良かった等と後悔することがある。
【０００７】
しかして本発明は、上記従来技術の課題等に鑑み成されたものであり、その目的は携帯電話の携帯サイトからアクセスした利用者に対してネイルアートに係るゲームソフトを提供し、その提供を受けた利用者が当該ゲームソフトを使用して選択したアートツールを組み合わせて所望のネイルアート画像を構築し、利用者に係るオリジナルのネイルアート・デザインとして複数パターン当該携帯電話に画像データとして保存できるようにした、ネイルアートに係るゲームソフト・プログラム及び携帯サイトを利用したネイルアート・デザインの提供管理方法を提供することにある。
【課題を解決するための手段】
【０００８】
しかして、本発明に係るネイルアートに係るゲームソフト・プログラム及び携帯サイトを利用したネイルアート・デザインの提供管理方法は、上記目的を達成するため以下の構成より成るものである。
【０００９】
即ち、本発明に係るネイルアートに係るゲームソフト・プログラムは、携帯電話において起動されるゲームソフト・プログラムであり、当該ゲームソフト・プログラムの起動によって携帯電話に表示されるタイトル画像上の新規作成又はアルバムの選択表示に従い、新規作成が選択された際には、次に製作画面にベースとなるネイルチップ画像が表示される一方、ネイルチップ画像に加工・修正を行う複数のアートツールに関するツール表示が付帯していると共に、作成画像に名前を付して複数のネイルアート画像を携帯電話のメモリに保存する保存表示が成されている一方、上記タイトル画像上のアルバムが選択された際には、アルバムモードの作品名一覧画面が表示され、次に各作品名が選択されると携帯電話のメモリから当該作品名の付されたネイルアート画像を表示実行させるための、ゲームソフト・プログラムであることを第一の要旨とする。
【００１０】
また、本発明に係る携帯サイトを利用したネイルアート・デザインの提供管理方法は、携帯電話の携帯サイトからアクセスした利用者に対してネイルアートに係るゲームソフトを提供すると共にその課金を管理する提供管理方法であって、携帯サイトサーバ及びサービス提供サーバから構成されるものであり、上記携帯サイトサーバが、本発明に係るネイルアートに係るゲームソフトの紹介及び当該ゲームソフトのダウンロードの可否表示に係るウェブページを利用者の携帯電話に表示するためのデータを管理するウェブデータ管理部、当該携帯サイトサーバ全体の制御を行うＣＰＵと、当該ＣＰＵの動作プログラム等のソフトフェア等の記録領域及び作業領域からなるメモリ、携帯サイトサーバの管理者が各種の指示を当該携帯サイトサーバに行うための入力部、各種表示を行うＬＣＤ等から成る表示部、インターネットと接続されたネットワーク通信インターフェースから構成され、サービス提供サーバが、ダウンロードサイトのウェブページを表示するためのデータを管理するウェブデータ管理部、サービス提供サーバ全体の制御を行うＣＰＵと、当該ＣＰＵの動作プログラム等のソフトフェア等の記録領域及び作業領域からなるメモリ、各種の指示を行うＬＣＤ等から成る表示部、インターネットと接続されたネットワーク通信インターフェース、ネイルアートに係るゲームソフトのプログラムデータを含む各種データを記録する記録部、ダウンロードサイトのウェブページ上の会員登録画面に基き送信された利用者の住所、氏名、電話番号等の入力情報を管理する会員情報管理部、当該各種データをダウンロードした利用者についての課金をキァリア会社に送信するための課金情報を生成する課金制御部から成るものであることを第二の要旨とする。
【発明の効果】
【００１１】
本発明に係るネイルアートに係るゲームソフト・プログラムによれば、当該プログラムをインストールした携帯電話を使用して、種々のアートツールを組み合わせて所望のネイルアート画像を構築し、利用者に係るオリジナルのネイルアート・デザインとして複数パターン当該携帯電話に画像データとして保存でき、更にアルバム表示することによって当該画像を携帯電話に表示することができるという効果がある。
【発明を実施するための最良の形態】
【００１２】
以下、図面を参照して本発明の実施形態について説明するものとする。図１は本発明の実施形態によるネイルアート・デザインの提供管理方法の構成を示す概略ブロック図である。図１に示すように、本発明の実施形態によるネイルアート・デザインの提供管理方法は、携帯電話１と、携帯サイトサーバ２と、サービス提供サーバ３とから構成される。
【００１３】
次に図２は、携帯電話の構成を示す概略ブロック図である。図２に示すように、携帯電話１には、被写体をデジタルの画像データとして出力する撮像部４と、携帯電話１全体の制御を行うと共に画像データのサンプリングタイミング制御、画像データの記録制御、通信制御及び表示制御等の各種制御を行うＣＰＵ５と、ＣＰＵ５の動作プログラム等のソフトウェア、利用者を識別するための識別コード及び各種定数が記録されている領域、ＣＰＵ５が処理を実行する際の作業領域並びに画像データを記録する領域から成るメモリ６と、利用者が種々の指示を携帯電話１に対して行う際の入力部７と、画像データを含む各種表示を行うＬＣＤ等から成る表示部８と、赤外線又はブルーツース等の近距離無線通信を行う無線通信部９と、更には公衆回線と無線通信することにより電話や電子メールの送受信を行うための公衆回線用無線通信部１０と、通信を行うためのマイク及びスピーカを有する通話部１１を備えている。
【００１４】
続いて、携帯電話１は以上のような構成を有することにより、公衆回線用無線通信部１０によりインターネットへの接続が可能であり、また、インターネット上の携帯サイトサーバ２からネイルアートに係るゲームソフトのプログラムデータを含む各種データを選択して取得することができる。
【００１５】
図３は、携帯サイトサーバの構成を示す概略ブロック図である。図３に示すように携帯サイトサーバ２は、携帯サイトサーバ２が管理運営するネイルアートに係るウェブページを携帯電話１に表示するためのデータを管理する携帯サイトサーバのウェブデータ管理部１２と、携帯サイトサーバ２全体の制御を行うＣＰＵ１３と、ＣＰＵ１３の動作プログラム等のソフトウェア、各種定数が記録されている領域及びＣＰＵ１３が処理を実行する際の作業領域からなるメモリ１４と、携帯サイトサーバ２の管理者が各種の指示を携帯サイトサーバ２に対して行うための入力部１５と、各種表示を行うＬＣＤ等から成る表示部１６と、更にインターネットと接続されたネットワーク通信インターフェース１７とを備えている。
【００１６】
上記携帯サイトサーバ２は、このような構成から成るものであるから、携帯電話１からのアクセスに従いネイルアートに係る携帯サイトサーバ２のウェブページを携帯電話１に表示することができる。
【００１７】
更に図４は、サービス提供サーバの構成を示す概略ブロック図である。図４に図示のように、サービス提供サーバ３は、サービス提供サーバ３のダウンロードサイトのウェブページを表示するためのデータを管理するダウンロードサイトのウェブデータ管理部１８と、ダウンロードサイトのウェブページ上の会員登録画面に基き送信された利用者の住所、氏名、電話番号等の入力情報を管理する会員情報管理部２４、サービス提供サーバ３全体の制御を行うＣＰＵ１９と、ＣＰＵ１９の動作プログラム等のソフトウェア、各種定数が記録されている領域及びＣＰＵ１９が処理を実行する際の作業領域からなるメモリ２０と、各種の指示をサービス提供サーバ３に対して行うための入力部２１と、各種表示を行うＬＣＤ等からなる表示部２２とを備えている。
【００１８】
続いてまた、サービス提供サーバ３は、インターネットと接続されたネットワーク通信インターフェース２５と、利用者がダウンロードするネイルアートに係るゲームソフトのプログラムデータを含む各種データを記録する記録部２６と、上記ネイルアートに係るゲームソフトのプログラムデータを含む各種データをダウンロードした利用者についての課金を携帯電話１のキャリア会社に送信するための課金情報を生成する課金制御部２３を備えている。
【００１９】
上記サービス提供サーバ３は、以上のような構成であることから、携帯電話１からのアクセスに従い記録部２６に保存されているネイルアートに係るゲームソフトのプログラムデータを含む各種データをインターネットを経由して携帯電話１に出力することができると共に、課金制御部２３において課金情報を生成して、携帯電話１のキャリア会社に送信することができる。
【００２０】
（携帯サイトサーバが管理運営するネイルアートに係るウェブページについて）
携帯サイトサーバ２が管理運営するネイルアートに係るウェブページについて説明する。先ず、携帯電話１から携帯サイトサーバ２にアクセスすると携帯サイト紹介のトップページが表示される。この携帯サイト紹介のトップページには、当該サイトの紹介事項の表示と、上記サービス提供サーバ３におけるダウンロードサイトへのリンク表示と、上記ゲームソフトの遊び方トップページの表示等が示されている。ここで、上記ゲームソフトの遊び方トップページの表示が選択された場合、その遊び方トップページには、１．ゲームソフトのタイトル表示、２．アートツールのタイトル表示、３．３Ｄアートサンプルのタイトル表示、４．ストーンサンプルのタイトル表示、５．ホログラムサンプルのタイトル表示、６．アルバムモードのタイトル表示、７．ネイルアートサンプルのタイトル表示から構成されおり、いづれかのタイトルが選択されることによって、当該タイトルページが表示されるようになっている。
【００２１】
そこで、具体的には、１．ゲームソフトのタイトル表示が選択され、ゲームソフトのタイトルページが表示されると、本発明に係るネイルアートに係るゲームソフトの使用方法や特徴が表示されている。また、２．アートツールのタイトル表示が選択され、アートツールのタイトルページが表示されると、アートツールとしての「カラー」、「エアブラシ」、「３Ｄ」、「ホログラム」、「ストーン」に関する解説と各アートツールによって作成されたサンプルのタイトル表示がなされている。ここで、当該サンプルのタイトルが選択されると、次に各アートツールによるサンプル画像が表示されるようになる。また次に、３．３Ｄアートサンプルのタイトル表示が選択され、３Ｄアートサンプルのタイトルページが表示されると、ハートやリボン等が立体的なオブジェとして描かれたサンプル画像が表示される。更に、４．ストーンサンプルのタイトル表示が選択され、ストーンサンプルのタイトルページが開かれると、輪郭が楕円、円、矩形等の稀石の造形が立体的なサンプル画像が表示される。続いて、５．ホログラムサンプルのタイトル表示が選択され、ホログラムサンプルのタイトルページが開かれると、多様な角度から光を放ちスパンコールを粉にしたような種々のサンプル画像が表示される。続いてまた、６．アルバムモードのタイトル表示が選択され、アルバムモードのタイトルページが開かれると、任意の作品名が記されたタイトルページが表示され、続いて当該作品名が選択されると上記紹介のゲームソフトのネイルアートによって作成されたネイルアートのサンプル画像が表示される。そして、７．ネイルアートサンプルのタイトル表示が選択されると、作品としてのネイルアートのサンプル画像が表示されたネイルアートサンプルページが表示される。またここで、上記３Ｄアートサンプルのタイトルページ、ストーンサンプルのタイトルページ並びにホログラムサンプルのタイトルページには、上記ゲームソフトのタイトルページ及び遊び方トップページの表示があり、これらを選択することにより各ページに直接リンクできるようになっている。
【００２２】
（利用者登録）
携帯電話１によって、携帯サイトサーバ２にアクセスすると携帯サイト紹介のトップページが表示される。この携帯サイト紹介のトップページには、サービス提供サーバ３におけるダウンロードサイトへのリンク表示が存在し、当該ダウンロード表示を選択することによって、利用者はサービス提供サーバ３にアクセスすることができる。次に、このアクセスを受けサービス提供サーバ３は携帯電話１にダウンロードサイトのウェブページとして会員登録画面が表示される。ここで、利用者は、上記携帯電話１から上記会員登録画面に基き、パスワードを設定すると共に、利用者の住所、氏名、電話番号等の入力を行った上で、入力されたデータを上記サービス提供サーバ３に送信し、当該サービス提供サーバ３からは携帯電話１に会員登録が完了したことが通知される。
【００２３】
（ダウンロード処理）
更に、会員登録が完了した利用者に対してサービス提供サーバ３のウェブページでは、ネイルアートに係るゲームソフトのダウンロードに関する課金と課金処理の方法が記載されていると共に、当該ネイルアートに係るゲームソフトのダウンロードの可否が表示されたページが提示される。そこで、利用者側からダウンロード実行の指示が示されると、サービス提供サーバ３の記録部２５からネイルアートに係るゲームソフトのプログラムデータを含む各種データが読み出され、ネットワーク通信インターフェース２４からインターネットを介して利用者の携帯電話１にデータ送信が実行され、更に上記ネイルアートに係るゲームソフトがＣＰＵ５にインストールされる。一方、このことを受けサービス提供サーバ３の課金制御部２６においては、当該利用者の会員登録情報に課金情報を付帯して課金情報が生成され、続いて当該課金情報はネットワーク通信インターフェース２４より携帯電話１のキャリア会社に送信される。
【００２４】
（ネイルアートの作成について）
次に、携帯電話１にインストールされたネイルアートに係るゲームソフトによるネイルアートの作成方法について説明する。先ず、当該ネイルアートに係るゲームソフトが起動されると、タイトル画面が表示される。ここで、そのタイトル画面にはネイルアートの新規作成又はアルバムに保存されているネイルアートの画像閲覧の行なうアルバムの選択表示がなされている。そこで、アルバム表示が選択されるとアルバムモードのタイトルページが開かれ、作品名が記されたタイトルページが表示され、続いて当該作品名が選択されると利用者が本ゲームソフトのネイルアートによって作成したネイルアーの作品画像が表示される。一方、新規作成表示が選択された場合には、次にネイルアートの製作画面が表示される。続いて、この製作画面にはベースとなるネイルチップの画像と共に前記ネイルアートのツールとして説明の「カラー」、「エアブラシ」、「３Ｄ」、「ホログラム」、「ストーン」の選択ツールが表示されている。
【００２５】
続いて、上記ネイルアートのツールに基づく作成方法を示す。先ず、上記製作画面において「カラー」が選択されると、当該画面内の所定箇所にネイルチップの下地色を選択するカラーパレットが表示され、利用者は上記製作画面でソフトキーを操作することにより好みのカラーを選択決定する。これによって上記ネイルチップの下地色が当該カラーに変更される。
【００２６】
続いて、上記製作画面において「エアブラシ」が選択されると、上記ネイルチップの中央位置にエアブラシの吹出ポイントマークが示されると共に、画面内の所定箇所にエアブラシ・カラーパレットが表示され、利用者は上記製作画面でソフトキーを操作することによって上記吹出ポイントマークを好みの位置に移動すると共に、エアブラシ・カラーパレットから好みのエアブラシ・カラーを選択して上記ネイルチップにエアブラシを施すことができる。
【００２７】
更に、上記製作画面において「３Ｄ」が選択されると、当該画面内の所定箇所にハートやリボン等が立体的なオブジェとして描かれた３Ｄパレットが表示され、利用者は上記製作画面でソフトキーを操作することによって、選択した３Ｄオブジェクトを上記ネイルチップの好みの位置に配置することができ、更に上記３Ｄオブジェクトの大きさ及び方向を変更することもできる。
【００２８】
更に続いて、上記製作画面において「ホログラム」が選択されると、当該画面内の所定箇所に多様な角度から光を放ちスパンコールを粉にしたような種々のパターンから成るホログラム・パレットが表示され、利用者は上記製作画面でソフトキーを操作することによって、選択したホログラム・パターンを上記ネイルチップの好みの位置に配置することができる。
【００２９】
続いてまた、上記製作画面において「ストーン」が選択されると、当該画面内の所定箇所に輪郭が楕円、円、矩形等の稀石の造形が立体的なパターンから成るストーン・パレットが表示され、利用者は上記製作画面でソフトキーを操作することによって、選択したストーン・パターンを上記ネイルチップの好みの位置に配置することができ、そして、上記ストーン・パターンの大きさ及び方向を変更することもできる。
【００３０】
以上のように、本発明に係るネイルアートに係るゲームソフトによるネイルアートの作成方法について説明したが、ネイルアートの作成方法は、勿論、上記実施の形態に限定されるものではなく、製作画面の「カラー」を選択しのカラーパレットからネイルチップの下地色を決定し、次に、「ホログラム」を選択し、ホログラム・パレットから好みのホログラム・パターンを選択の上、ネイルチップの任意の位置に当該ホログラム・パターンを施して完成することも、更に続けて、「ストーン」を選択しストーン・パレットから好きなストーン・パターンを選択し上記ホログラム・パターンの上に上記ストーン・パターンを配置してネイルアート作品として完成することもできる等、利用者の自由な製作意思に委ねられている。
【００３１】
（製作されたネイルアートの保存）
更にまた、上記のように製作されたネイルアートの保存について説明する。上記ように好みのネイルアートが完成すると、製作画面上のソフトキーの操作によって、ネイルアート画像の保存を行うことができる。ここで、上記製作画面上で保存表示が選択されると、名前入力画面が開かれる。そこで、この名前入力画面において保存に供されるネイルアート画像に名前が付される。続いて、名前が決定され当該名前入力画面の決定表示が選択されると、アルバムモードのタイトルページに決定された名前が表示されると共に、製作されたネイルアート画像がアルバムに保存される。また、このように保存されたネイルアート画像は、ネイルアートに係るゲームソフトのタイトル画面のアルバムを選択して開かれる、アルバムモードのタイトルページの作品名から製作画面上に表示することができ、更に製作画面上のツールを使用して修正・加工を施し、再度アルバムとして保存することができる。
【産業上の利用可能性】
【００３２】
本発明に係るネイルアートに係るゲームソフト・プログラムによれば、当該プログラムをインストールした携帯電話を使用して、種々のアートツールを組み合わせて所望のネイルアート画像を構築し、利用者に係るオリジナルのネイルアート・デザインとして複数パターン当該携帯電話に画像データとして保存でき、更にアルバム表示することによって当該画像を携帯電話に表示することができるので、ネイルサロンでネイリストに携帯電話から好みのオリジナルのネイルアート画像を呼び出して、ネイルアートの施術を依頼できる等、その利用方法は多種にわたる。
【図面の簡単な説明】
【００３３】
【図１】本発明に係るネイルアート・デザインの提供管理方法の構成を示す概略ブロック図。
【図２】携帯電話の構成を示す概略ブロック図。
【図３】携帯サイトサーバの構成を示す概略ブロック図。
【図４】サービス提供サーバの構成を示す概略ブロック図。
【符号の説明】
【００３４】
１    携帯電話
２    携帯サイトサーバ
３    サービス提供サーバ
４    撮像部
５    ＣＰＵ
６    メモリ
７    入力部
８    表示部
９    無線通信部
１０  公衆回線用無線通信部
１１  通話部
１２  携帯サイトサーバのウェブデータ管理部
１３  ＣＰＵ
１４  メモリ
１５  入力部
１６  表示部
１７  ネットワーク通信インターフェース
１８  ダウンロードサイトのウェブデータ管理部
１９  ＣＰＵ
２０  メモリ
２１  入力部
２２  表示部
２３  課金制御部
２４  会員情報管理部
２５  ネットワーク通信インターフェース
２６  記録部
【図１】
2008130054.tif 000003
【図２】
2008130054.tif 000004
【図３】
2008130054.tif 000005
【図４】
2008130054.tif 000006